(57)【要約】【課題】  ネットワーク事業者のサービスエリアを意識することなく、ローミング料金負担の軽減と利用サービスの拡大とを図ることが可能な移動無線端末装置を提供する。【解決手段】  制御部１３は無線部１２で検出したセルからの受信レベルの上位順にネットワーク事業者を選択し、ネットワーク事業者の国番号及びネットワーク番号と、複数ＵＳＩＭ挿入部１６に挿入されているＵＳＩＭカード（１）からＵＳＩＭカード（ｎ）までに記載されている値とを比べる。制御部１３は値が一致するＵＳＩＭカードがあれば、そのＵＳＩＭカードを使ってネットワーク事業者に位置登録し、ネットワーク事業者のサービスを受けると同時に、本体表示部１５にネットワーク事業者のオペレータ名を表示する。【選択図】      図１
2007235492.tif 000002
【特許請求の範囲】
【請求項１】
各々ネットワーク事業者の情報が記載された複数のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードが搭載可能な移動無線端末装置であって、
前記複数のＵＳＩＭカードを搭載する時に複数のネットワークからの受信レベルを検出する手段と、前記受信レベルが上位のネットワークから順にそのネットワークを特定する情報と前記複数のＵＳＩＭカードの記載内容とを比較する手段と、その比較が一致したＵＳＩＭカードを用いて対応するネットワークに位置登録する手段とを有することを特徴とする移動無線端末装置。
【請求項２】
前記比較が一致したＵＳＩＭカードがない場合に、前記複数のＵＳＩＭカードを順次用いて優先順位高い順に選択されるネットワークに位置登録可能かを判定してローミングサービスを受けられるＵＳＩＭカードを検出する手段を含むことを特徴とする請求項１記載の移動無線端末装置。
【請求項３】
前記ＵＳＩＭカードを用いて位置登録されたネットワークの情報を表示する手段を含むことを特徴とする請求項１または請求項２記載の移動無線端末装置。
【請求項４】
各々ネットワーク事業者の情報が記載された複数のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードが搭載可能な移動無線端末装置に用いるＵＳＩＭ選択方法であって、
前記移動無線端末装置が、
前記複数のＵＳＩＭカードを搭載する時に複数のネットワークからの受信レベルを検出する処理と、前記受信レベルが上位のネットワークから順にそのネットワークを特定する情報と前記複数のＵＳＩＭカードの記載内容とを比較する処理と、その比較が一致したＵＳＩＭカードを用いて対応するネットワークに位置登録する処理とを実行することを特徴とするＵＳＩＭ選択方法。
【請求項５】
前記移動無線端末装置が、
前記比較が一致したＵＳＩＭカードがない場合に、前記複数のＵＳＩＭカードを順次用いて優先順位高い順に選択されるネットワークに位置登録可能かを判定してローミングサービスを受けられるＵＳＩＭカードを検出する処理を実行することを特徴とする請求項４記載のＵＳＩＭ選択方法。
【請求項６】
前記移動無線端末装置が、
前記ＵＳＩＭカードを用いて位置登録されたネットワークの情報を表示する処理を実行することを特徴とする請求項４または請求項５記載のＵＳＩＭ選択方法。
【請求項７】
各々ネットワーク事業者の情報が記載された複数のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードが搭載可能な移動無線端末装置に用いるＵＳＩＭ選択方法のプログラムであって、
コンピュータに、
前記複数のＵＳＩＭカードを搭載する時に複数のネットワークからの受信レベルを検出する処理と、前記受信レベルが上位のネットワークから順にそのネットワークを特定する情報と前記複数のＵＳＩＭカードの記載内容とを比較する処理と、その比較が一致したＵＳＩＭカードを用いて対応するネットワークに位置登録する処理とを実行させるためのプログラム。
【発明の詳細な説明】
【技術分野】
【０００１】
本発明は移動無線端末装置及びそれに用いるＵＳＩＭ選択方法並びにそのプログラムに関し、特にＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）を搭載可能な移動無線端末装置におけるＵＳＩＭの選択方法に関する。
【背景技術】
【０００２】
ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）／ＧＰＲＳ（Ｇｅｎｅｒａｌ  Ｐａｃｋｅｔ  Ｒａｄｉｏ  Ｓｅｒｖｉｃｅ）とＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）とに対応したデュアルモード端末においては、通常、１枚のＵＳＩＭカードを挿入することができるようになっている（例えば、特許文献１参照）。ここで、ＵＳＩＭは携帯電話端末に装着して加入者を識別するためのモジュールである。
【０００３】
利用者は主契約しているネットワーク事業者（以下、ＨＰＬＭＮ：Ｈｏｍｅ  Ｐｕｂｌｉｃ  Ｌａｎｄ  Ｍｏｂｉｌｅ  Ｎｅｔｗｏｒｋとする。尚、ＨＰＬＭＮの情報はＵＳＩＭに記録されている）のサービスエリア内でサービスを受けることができる。例えば、キャリアＤと主契約している場合には、キャリアＤのサービスエリア内でサービスを受けることができる。
【０００４】
また、利用者が主契約しているネットワークのサービスエリア外では、そのサービスエリアにあるネットワーク事業者と主契約しているネットワーク事業者との間にローミングサービスの提携がなされていれば、利用者はローミングサービスを利用することができる。例えば、キャリアＤの携帯端末にＵＳＩＭカードを挿入したまま、香港に行った場合、香港のキャリアＨのネットワークはキャリアＤとの間でローミングサービスの提携をしているため、キャリアＤを主契約としている利用者が香港のキャリアＨのネットワークを利用してサービスを受けることができる。
【０００５】
【特許文献１】特開２００２−２１８５３６号公報
【発明の開示】
【発明が解決しようとする課題】
【０００６】
上述した従来の移動無線端末装置では、ローミングサービスの利用料が主契約しているネットワーク事業者から受けられる通常のサービスの利用料よりも高価である。また、従来の移動無線端末装置では、ローミングサービスの提携をしているネットワーク事業者がないエリアでは、通常のサービスを受けることができず、緊急呼のみ可能な状態となってしまう。
【０００７】
したがって、従来の移動無線端末装置では、上記の問題を解決するために、利用者が持っている複数のＵＳＩＭカードのうちの１枚を、エリアに合わせて差し替える必要がある。
【０００８】
そこで、本発明の目的は上記の問題点を解消し、ネットワーク事業者のサービスエリアを意識することなく、ローミング料金負担の軽減と利用サービスの拡大とを図ることができる移動無線端末装置及びそれに用いるＵＳＩＭ選択方法並びにそのプログラムを提供することにある。
【課題を解決するための手段】
【０００９】
本発明による移動無線端末装置は、各々ネットワーク事業者の情報が記載された複数のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードが搭載可能な移動無線端末装置であって、
前記複数のＵＳＩＭカードを搭載する時に複数のネットワークからの受信レベルを検出する手段と、前記受信レベルが上位のネットワークから順にそのネットワークを特定する情報と前記複数のＵＳＩＭカードの記載内容とを比較する手段と、その比較が一致したＵＳＩＭカードを用いて対応するネットワークに位置登録する手段とを備えている。
【００１０】
本発明によるＵＳＩＭ選択方法は、各々ネットワーク事業者の情報が記載された複数のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードが搭載可能な移動無線端末装置に用いるＵＳＩＭ選択方法であって、
前記移動無線端末装置が、
前記複数のＵＳＩＭカードを搭載する時に複数のネットワークからの受信レベルを検出する処理と、前記受信レベルが上位のネットワークから順にそのネットワークを特定する情報と前記複数のＵＳＩＭカードの記載内容とを比較する処理と、その比較が一致したＵＳＩＭカードを用いて対応するネットワークに位置登録する処理とを実行している。
【００１１】
本発明によるＵＳＩＭ選択方法のプログラムは、各々ネットワーク事業者の情報が記載された複数のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードが搭載可能な移動無線端末装置に用いるＵＳＩＭ選択方法のプログラムであって、
コンピュータに、
前記複数のＵＳＩＭカードを搭載する時に複数のネットワークからの受信レベルを検出する処理と、前記受信レベルが上位のネットワークから順にそのネットワークを特定する情報と前記複数のＵＳＩＭカードの記載内容とを比較する処理と、その比較が一致したＵＳＩＭカードを用いて対応するネットワークに位置登録する処理とを実行させている。
【００１２】
すなわち、本発明の移動無線端末装置は、複数のＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードを搭載可能な端末装置におけるＵＳＩＭカードの選択方法に関するものである。ここで、複数のＵＳＩＭカードを搭載可能な端末装置とは、例えば、端末装置にキャリアＤのＵＳＩＭカード、キャリアＶのＵＳＩＭカードの２枚を挿入可能な端末装置である。また、ＵＳＩＭは携帯電話端末に装着して加入者を識別するためのモジュールである。
【００１３】
本発明の移動無線端末装置では、上記の問題を解決するため、端末装置に複数のＵＳＩＭカードを挿入可能とし、その時、検出されたネットワークに合わせて、これら複数のＵＳＩＭカードのうちの使用するＵＳＩＭカードを自動で選択可能とすることを特徴とする。
【００１４】
例えば、端末装置にキャリアＤのＵＳＩＭカード、キャリアＨのＵＳＩＭカード、キャリアＶのＵＳＩＭカードの３枚を挿入する場合、利用者はこれらキャリアＤ、キャリアＨ、キャリアＶの３社と主契約しているため、これらの３社のサービスエリアでは、主契約のネットワーク事業者（以下、ＨＰＬＭＮ：Ｈｏｍｅ  Ｐｕｂｌｉｃ  Ｌａｎｄ  Ｍｏｂｉｌｅ  Ｎｅｔｗｏｒｋとする）のサービスを利用可能である。しかも、これら３社とのローミングサービスを提携しているネットワークエリアでもサービスの利用が可能なので、利用エリアの拡大にも繋がる。
【００１５】
より具体的に説明すると、本発明の移動無線端末装置では、無線部で検出したセルからの受信レベルの上位順にネットワーク事業者を選択し、ネットワーク事業者の国番号及びネットワーク番号と、複数ＵＳＩＭ挿入部に挿入されている複数のＵＳＩＭカード各々に記載されている値とを比べる。本発明の移動無線端末装置では、それらの値が一致するＵＳＩＭカードがあれば、そのＵＳＩＭカードを使ってネットワーク事業者に位置登録し、ネットワーク事業者のサービスを受けると同時に、本体表示部にネットワーク事業者のオペレータ名を表示する。
【００１６】
これによって、本発明の移動無線端末装置では、利用者が所有する複数のＵＳＩＭカードを同じ端末装置に挿しておくだけで、ネットワーク事業者のサービスエリアを意識することなく、ローミング料金負担の軽減と利用サービスの拡大とを図ることが可能となる。
【発明の効果】
【００１７】
本発明は、上記のような構成及び動作とすることで、ネットワーク事業者のサービスエリアを意識することなく、ローミング料金負担の軽減と利用サービスの拡大とを図ることができるという効果が得られる。
【発明を実施するための最良の形態】
【００１８】
次に、本発明の実施例について図面を参照して説明する。図１は本発明の一実施例による移動無線端末装置の構成を示すブロック図である。図１において、本発明の一実施例による移動無線端末装置は、アンテナ１１と、無線部１２と、制御部１３と、本体操作部１４と、本体表示部１５と、複数ＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）挿入部１６と、記録媒体１７とを含んで構成され、折畳式携帯電話機を含む携帯電話機である。
【００１９】
アンテナ１１及び無線部１２は、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）／ＧＰＲＳ（Ｇｅｎｅｒａｌ  Ｐａｃｋｅｔ  Ｒａｄｉｏ  Ｓｅｒｖｉｃｅ）とＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）とに対応したデュアルモード端末に対応している。
【００２０】
また、制御部１３も、ＧＳＭ／ＧＰＲＳとＵＭＴＳに対応したデュアルモード端末に対応している。複数ＵＳＩＭ挿入部１６には複数のＵＳＩＭカード（１〜ｎ）が挿入可能となっている。記録媒体１７には制御部１３が実行するプログラムやそのプログラム実行時に使用する情報が記録されている。
【００２１】
図２及び図３は本発明の一実施例によるＵＳＩＭカードの挿入例を示す図であり、図４及び図５は本発明の一実施例による移動無線端末装置の動作を示すフローチャートであり、図６は本発明の一実施例によるＵＳＩＭカード内の情報を示す図であり、図７は本発明の一実施例によるＵＳＩＭカードと検出されたネットワークとの対応を示す図である。これら図１〜図７を参照して、ＧＳＭ／ＧＰＲＳとＵＭＴＳとに対応したデュアルモード携帯電話機の動作について説明する。
【００２２】
まず、図２に示す（例Ｉ）の場合について説明する。この（例Ｉ）では、移動無線端末装置が検出したセルを３つとし、検出したセルのＰＬＭＮ（Ｐｕｂｌｉｃ  Ｌａｎｄ  Ｍｏｂｉｌｅ  Ｎｅｔｗｏｒｋ）が受信レベル（ＲＳＣＰ：Ｒｅｃｅｉｖｅｄ  Ｓｉｇｎａｌ  Ｃｏｄｅ  Ｐｏｗｅｒ）の上位順から（１）ＰＬＭＮ  Ａ、（２）ＰＬＭＮ  Ｂ、（３）ＰＬＭＮ  Ｃとなっているものとする。
【００２３】
ここで、ＰＬＭＮとはＭＩＢ（Ｍａｓｔｅｒ  ｉｎｆｏｒｍａｔｉｏｎ  ｂｌｏｃｋ：報知情報）に保存されているＭＣＣ（Ｍｏｂｉｌｅ  Ｃｏｕｎｔｒｙ  Ｃｏｄｅ：国番号）及びＭＮＣ（Ｍｏｂｉｌｅ  Ｎｅｔｗｏｒｋ  Ｃｏｄｅ：ネットワーク番号）であり、携帯電話事業者を示している。
【００２４】
また、（例Ｉ）では、利用者がＵＳＩＭカード（１），ＵＳＩＭカード（２），ＵＳＩＭカード（３）を移動無線端末装置の複数ＵＳＩＭ挿入部１６に挿入しており、ＵＳＩＭカード（１）のＨＰＬＭＮ（Ｈｏｍｅ  Ｐｕｂｌｉｃ  Ｌａｎｄ  Ｍｏｂｉｌｅ  Ｎｅｔｗｏｒｋ：ネットワーク事業者）が「Ｄ」で、ＵＳＩＭカード（２）のＨＰＬＭＮが「Ｅ」で、ＵＳＩＭカード（３）のＨＰＬＭＮが「Ｂ」であるものとする。
【００２５】
つまり、利用者はネットワーク事業者「Ｄ」社、「Ｅ」社、「Ｂ」社との間で主契約を結んでいる。複数ＵＳＩＭ挿入部１６には左側から「Ｄ」社、「Ｅ」社、「Ｂ」社のＵＳＩＭカードが挿入されている。ＨＰＬＭＮの情報はＵＳＩＭカード内に記録されている［３ＧＰＰ  ＴＳ３１．１０２  Ｖ７．３．０“Ｕｎｉｖｅｒｓａｌ  Ｓｕｂｓｃｒｉｂｅｒ  Ｉｄｅｎｔｉｔｙ  Ｍｏｄｕｌｅ（ＵＳＩＭ）  ａｐｐｌｉｃａｔｉｏｎ”（２００５−１２）（非特許文献１）参照］。
【００２６】
（例Ｉ）の場合、利用者はネットワーク事業者「Ｄ」社、「Ｅ」社、「Ｂ」社が主契約としているＵＳＩＭカード（１）〜（３）を移動無線端末装置の複数ＵＳＩＭ挿入部１６に挿入し、本体操作部１４にて移動無線端末装置の電源を入れる。
【００２７】
すると、無線部１２で検出されたセルのＰＬＭＮは受信レベル（ＲＳＣＰ：Ｒｅｃｅｉｖｅｄ  Ｓｉｇｎａｌ  Ｃｏｄｅ  Ｐｏｗｅｒ）の上位順から（１）ＰＬＭＮ  Ａ、（２）ＰＬＭＮ  Ｂ、（３）ＰＬＭＮ  Ｃであったとすると（図２参照）、制御部１３は無線部１２で受信したＰＬＭＮを図４及び図５に示すアルゴリズムを利用して、下記のようにネットワークを選択する。
【００２８】
制御部１３は無線部１２で検出したセルから受信レベルが最大のセルであるＰＬＭＮ  Ａを選び（図４ステップＳ１）、ＰＬＭＮ  Ａ（ＭＭＣとＭＮＣ）とＵＳＩＭカード（１）からＵＳＩＭカード（３）までに記載されているＨＰＬＭＮの値とを比べる（図４ステップＳ２）。
【００２９】
この場合、制御部１３はＰＬＭＮ  Ａ（ＭＭＣとＭＮＣ）とＨＰＬＭＮの値とが異なっており、しかも検出した全セルの判定がまだ完了していないと判断すると（図４ステップＳ４）、検出したセルから２番目に強いセルのＰＬＭＮ  Ｂを選択し（図４ステップＳ５）、ステップＳ２に戻る。
【００３０】
制御部１３はステップＳ２で選択した２番目に強いセルのＰＬＭＮ  Ｂ（ＭＭＣとＭＮＣ）とＵＳＩＭカード（１）からＵＳＩＭカード（３）までに記載されているＨＰＬＭＮの値とを比べると（図４ステップＳ２）、ＵＳＩＭカード（３）のＨＰＬＭＮがＰＬＭＮ  Ｂと値が一致するため、ＵＳＩＭカード（３）を使って、ＰＬＭＮ  Ｂのネットワーク業者に位置登録し、ネットワーク業者Ｂのサービスを受けると同時に、本体表示部１５にネットワーク業者Ｂのオペレータ名を表示する。
【００３１】
次に、（例II）について説明する。（例II）では、移動無線端末装置が検出したセルを３つとし、検出したセルのＰＬＭＮが受信レベルの上位順から（１）ＰＬＭＮ  Ａ、（２）ＰＬＭＮ  Ｂ、（３）ＰＬＭＮ  Ｃとなっているものとする。
【００３２】
また、（例II）では、利用者がＵＳＩＭカード（１），ＵＳＩＭカード（２），ＵＳＩＭカード（３）を移動無線端末装置の複数ＵＳＩＭ挿入部１６に挿入しており、ＵＳＩＭカード（１）のＨＰＬＭＮが「Ｄ」で、ＵＳＩＭカード（２）のＨＰＬＭＮが「Ｅ」で、ＵＳＩＭカード（３）のＨＰＬＭＮが「Ｆ」であるものとする。
【００３３】
つまり、利用者はネットワーク事業者「Ｄ」社、「Ｅ」社、「Ｆ」社との間で主契約を結んでいる。複数ＵＳＩＭ挿入部１６には左側から「Ｄ」社、「Ｅ」社、「Ｆ」社のＵＳＩＭカードが挿入されている。ＨＰＬＭＮの情報はＵＳＩＭカード内に記録されている（非特許文献１参照）。
【００３４】
（例II）の場合には、ネットワーク業者「Ｂ」社と「Ｅ」社との間でローミング契約が結ばれているものとし、他のネットワーク業者間はローミングサービス契約していないものとする。
【００３５】
（例II）の場合、利用者はネットワーク事業者「Ｄ」社、「Ｅ」社、「Ｂ」社が主契約としているＵＳＩＭカード（１）〜（３）を移動無線端末装置の複数ＵＳＩＭ挿入部１６に挿入し、本体操作部１４にて移動無線端末装置の電源を入れる。
【００３６】
すると、無線部１２で検出されたセルのＰＬＭＮは受信レベルの上位順から（１）ＰＬＭＮ  Ａ、（２）ＰＬＭＮ  Ｂ、（３）ＰＬＭＮ  Ｃであったとすると（図３参照）、制御部１３は無線部１２で受信したＰＬＭＮを図４及び図５のアルゴリズムを利用して、下記のようにネットワークを選択する。
【００３７】
制御部１３は無線部１２で検出したセルから受信レベルが最大のセルであるＰＬＭＮ  Ａを選び（図４ステップＳ１）、ＰＬＭＮ  Ａ（ＭＭＣとＭＮＣ）とＵＳＩＭカード（１）からＵＳＩＭカード（３）までに記載されているＨＰＬＭＮの値とを比べる（図４ステップＳ２）。
【００３８】
この場合、制御部１３はＰＬＭＮ  Ａ（ＭＭＣとＭＮＣ）とＨＰＬＭＮの値とが異なっており、しかも検出した全セルの判定がまだ完了していないと判断すると（図４ステップＳ４）、検出したセルから２番目に強いセルのＰＬＭＮ  Ｂを選択し（図４ステップＳ５）、ステップＳ２に戻る。
【００３９】
制御部１３はステップＳ２で選択した２番目に強いセルのＰＬＭＮ  Ｂ（ＭＭＣとＭＮＣ）とＵＳＩＭカード（１）からＵＳＩＭカード（３）までに記載されているＨＰＬＭＮの値とを比べると（図４ステップＳ２）、ＰＬＭＮ  Ｂ（ＭＭＣとＭＮＣ）とＨＰＬＭＮの値とが異なっており、検出した全セルの判定がまだ完了していないと判断すると（図４ステップＳ４）、検出したセルから３番目に強いセルのＰＬＭＮ  Ｃを選択し（図４ステップＳ５）、ステップＳ２に戻る。
【００４０】
制御部１３はステップＳ２で選択した３番目に強いセルのＰＬＭＮ  Ｃ（ＭＭＣとＭＮＣ）とＵＳＩＭカード（１）からＵＳＩＭカード（３）までに記載されているＨＰＬＭＮの値とを比べると（図４ステップＳ２）、ＰＬＭＮ  Ｃ（ＭＭＣとＭＮＣ）とＨＰＬＭＮの値とが異なっており、検出した全セルの判定が完了していると判断すると（図４ステップＳ４）、ＵＳＩＭカード（１）を用いて３ＧＰＰ  ＴＳ２３．１２２  Ｖ７．３．０“Ｎｏｎ−Ａｃｃｅｓｓ−Ｓｔｒａｔｕｍ（ＮＡＳ）  ｆｕｎｃｔｉｏｎｓ  ｒｅｌａｔｅｄ  ｔｏ  Ｍｏｂｉｌｅ  Ｓｔａｔｉｏｎ（ＭＳ）  ｉｎ  ｉｄｌｅ  ｍｏｄｅ”（２００５−０９）（非特許文献２）に記載の方法で最も優先順位高いＰＬＭＮを選択する（図４ステップＳ６）。
【００４１】
制御部１３はステップＳ６で選択したネットワークに位置登録する（図４ステップＳ７）。この場合、ネットワークＡ，Ｂ，ＣとネットワークＤとは、ローミング契約を結んでいないため、制御部１３は位置登録が失敗したと判定し（図４ステップＳ８）、全てのＵＳＩＭカードで判定ａ（上記のステップＳ７，Ｓ８）がまだ完了していないと判断し（図５ステップＳ１２）、ＵＳＩＭカード（２）［ここでは、ＵＳＩＭカード（１）→ＵＳＩＭカード（２）→ＵＳＩＭカード（３）・・・の順に選択したとする）を使って、上記と同じような手順でネットワークを選択する（図５ステップＳ１３）。
【００４２】
制御部１３はＵＳＩＭカード（２）をＰＬＭＮ  Ｂに位置登録し（図４ステップＳ７）、ネットワーク「Ｂ」社と「Ｅ」社とがローミング契約しているため、位置登録が成功したと判定し（図４ステップＳ８）、ＵＳＩＭカード（２）を使って、ＰＬＭＮ  Ｂのネットワーク業者への位置登録を完了し、ネットワーク業者Ｂのサービスを受けると同時に（図４ステップＳ９）、本体表示部１５にネットワーク業者Ｂのオペレータ名を表示する。
【００４３】
このように、本実施例では、複数のＵＳＩＭカード（１）〜（ｎ）を移動無線端末装置の複数ＵＳＩＭ挿入部１６に挿入することで、従来、ローミング先のネットワークでも、ローミング費用の発生がなく、主契約のネットワークが提供しているサービスを受けることができ、ユーザの通信費の負担を減らすことができる。
【００４４】
また、本実施例では、複数のＵＳＩＭカード（１）〜（ｎ）を移動無線端末装置の複数ＵＳＩＭ挿入部１６に挿入することで、従来、利用することができないエリアでも、主契約とのローミング契約を結んでいるネットワークの数が増えるため、サービスを受けられるエリアも拡大する。さらに、本実施例では、複数のＵＳＩＭカード（１）〜（ｎ）を移動無線端末装置の複数ＵＳＩＭ挿入部１６に挿入しているので、ユーザがＵＳＩＭカードを差し替える必要がない。
【００４５】
ＵＳＩＭカードの選択方法としては、図４及び図５に示すアルゴリズムを使用せず、検索されたネットワークのＰＬＭＮと図６に示すようなＵＳＩＭ内の情報［ＨＰＬＭＮ（Ｈｏｍｅ  ＰＬＭＮ）、ＵＰＬＭＮ（Ｕｓｅｒ  ＰＬＭＮ）、ＯＰＬＭＮ（Ｏｐｅｒａｔｏｒ  ＰＬＭＮ）］から図７に示すようなテーブルを作成し、最も優先順位の高いＰＬＭＮとなるネットワークとＵＳＩＭカードとの組み合わせを選択してもよい。ここで、ＰＬＭＮの優先順はＨＰＬＭＮ、ＵＰＬＭＮ、ＯＰＬＭＮ、ＯＴＨＥＲＰＬＭＮである。
【００４６】
上記のようにして選択した組み合わせで位置登録に失敗した場合には、次に優先順位の高いＰＬＭＮとＵＳＩＭカードとの組み合わせを選択する。優先順位が等しい組み合わせが複数ある場合には、ネットワークの受信レベル（ＲＳＣＰ）の高い順（例１−１）または、ＵＳＩＭ毎に優先順位を持たせ（例１−２）、これにしたがって選択する。
【００４７】
（例１−１）の場合、受信レベルがＰＬＭＮ  Ａ＞ＰＬＭＮ  Ｂ＞ＰＬＭＮ  Ｃとすると、
１．ＰＬＭＮ  Ｂ＆ＵＳＩＭカード（２）  （ＨＰＬＭＮ）
２．ＰＬＭＮ  Ｂ＆ＵＳＩＭカード（１）  （ＵＰＬＭＮ）
３．ＰＬＭＮ  Ｃ＆ＵＳＩＭカード（３）  （ＵＰＬＭＮ）
４．ＰＬＭＮ  Ａ＆ＵＳＩＭカード（２）  （ＯＰＬＭＮ）
・
・
・
の順に選択する。
【００４８】
また、（例１−２）の場合、ＵＳＩＭカードの優先順位がＵＳＩＭカード（３）＞ＵＳＩＭカード（２）＞ＵＳＩＭカード（１）とすると、
１．ＰＬＭＮ  Ｂ＆ＵＳＩＭカード（２）  （ＨＰＬＭＮ）
２．ＰＬＭＮ  Ｃ＆ＵＳＩＭカード（３）  （ＵＰＬＭＮ）
３．ＰＬＭＮ  Ｂ＆ＵＳＩＭカード（１）  （ＵＰＬＭＮ）
４．ＰＬＭＮ  Ａ＆ＵＳＩＭカード（２）  （ＯＰＬＭＮ）
・
・
・
として選択する。
【００４９】
本実施例では、ＵＳＩＭカード（１）〜（ｎ）を複数挿入する場合について述べているが、２Ｇ（ｓｅｃｏｎｄ  ｇｅｎｅｒａｔｉｏｎ）のＳＩＭ（Ｓｕｂｓｃｒｉｂｅｒ  Ｉｄｅｎｔｉｔｙ  Ｍｏｄｕｌｅ）カードと３Ｇ（ｔｈｉｒｄ  ｇｅｎｅｒａｔｉｏｎ）のＵＳＩＭとの組み合わせでも効果がある。
【００５０】
また、上記のステップＳ１３で「次のＵＳＩＭ」としているが、ＵＳＩＭカード（１）→ＵＳＩＭカード（２）→ＵＳＩＭカード（３）・・・と切替えるのではなく、ＵＳＩＭカード毎に優先順位を持たせ、これにしたがって切替えてもよい。例えば、ＵＳＩＭカードの優先順位がＵＳＩＭカード（３）＞ＵＳＩＭカード（２）＞ＵＳＩＭカード（１）の場合には、ＵＳＩＭカード（３）→ＵＳＩＭカード（２）→ＵＳＩＭカード（１）・・・と選択することになる。
【００５１】
さらに、本実施例では、本体操作部１４にて移動無線端末装置の電源を入れることで動作を開始しているが、移動無線端末装置の電源を入れる時だけではなく、移動無線端末装置が圏外の時にも、上記と同様に、本実施例によるＵＳＩＭ選択方法を実施してもよく、あるいは利用者の操作で、上記と同様に、本実施例によるＵＳＩＭ選択方法を実施してもよい。
【００５２】
さらにまた、本実施例は、ＧＳＭ（）とＵＳＩＭとの組み合わせだけではなく、無線システムの任意の組み合わせに応用することができる。例えば、ＰＨＳ（Ｐｅｒｓｏｎａｌ  Ｈａｎｄｙ−ｐｈｏｎｅ  Ｓｙｓｔｅｍ）とＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）、ＷＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）とＣＤＭＡ２０００（Ｃｏｄｅ  Ｄｉｖｉｓｉｏｎ  Ｍｕｌｔｉｐｌｅ  Ａｃｃｅｓｓ  ２０００）等に適用可能である。
【図面の簡単な説明】
【００５３】
【図１】本発明の一実施例による移動無線端末装置の構成を示すブロック図である。
【図２】本発明の一実施例によるＵＳＩＭカードの挿入例を示す図である。
【図３】本発明の一実施例によるＵＳＩＭカードの挿入例を示す図である。
【図４】本発明の一実施例による移動無線端末装置の動作を示すフローチャートである。
【図５】本発明の一実施例による移動無線端末装置の動作を示すフローチャートである。
【図６】本発明の一実施例によるＵＳＩＭカード内の情報を示す図である。
【図７】本発明の一実施例によるＵＳＩＭカードと検出されたネットワークとの対応を示す図である。
【符号の説明】
【００５４】
１１  アンテナ
１２  無線部
１３  制御部
１４  本体操作部
１５  本体表示部
１６  複数ＵＳＩＭ挿入部
１７  記録媒体
【図１】
2007235492.tif 000003
【図２】
2007235492.tif 000004
【図３】
2007235492.tif 000005
【図４】
2007235492.tif 000006
【図５】
2007235492.tif 000007
【図６】
2007235492.tif 000008
【図７】
2007235492.tif 000009